(57)【要約】【課題】操作（特に、香水吸収体への香水の浸漬操作）が簡単でかつコンパクトな香水ディフューザーキットを提供する。【解決手段】本考案のキット１は、中空筒状体を成し、かつ、上部２ｔに形成された香水拡散用孔２１と、下部２ｂに形成されて筒状体内部２２に香水瓶４を出し入れ自在に収納可能な開口部２３とを備えたディフューザー本体２と、香水瓶４の注ぎ口４１に挿入可能な芯部３１を備えた香水吸収体３とを備える。ディフューザー本体２２には、香水瓶４を着脱自在に保持可能な取付け構造（好ましくは、香水瓶４に設けられた螺旋構造４２と螺合可能な螺旋構造２４）がさらに設けられる。【選択図】図１
0003201057.tif 000002
【実用新案登録請求の範囲】
【請求項１】
中空筒状体を成し、かつ、上部に形成された香水拡散用孔と、下部に形成されて前記筒状体内部に香水瓶を出し入れ自在に収納可能な開口部とを備えたディフューザー本体と、
香水瓶の注ぎ口に挿入可能な芯部を備えた香水吸収体と、
を備え、かつ、
前記ディフューザー本体には、香水瓶を着脱自在に保持可能な取付け構造がさらに設けられていることを特徴とする香水ディフューザーキット。
【請求項２】
前記取付け構造は、前記中空筒状体の内部に設けられ、かつ、前記香水瓶に設けられた螺旋構造と螺合可能な螺旋構造であることを特徴とする請求項１に記載の香水ディフューザーキット。
【請求項３】
前記ディフューザー本体の側面部には、前記香水瓶が前記中空筒状体の内部に挿入された際に、前記取付け構造への前記香水瓶本体の着脱を容易にするための操作用開口部がさらに設けられていることを特徴とする請求項１又は２に記載の香水ディフューザーキット。
【請求項４】
前記ディフューザー本体を保持可能な補助ブラケットをさらに備え、かつ、
前記補助ブラケットには、空調用ルーバー間に差し込み可能でかつ該ルーバーを挟持可能な挟持部が形成されることを特徴とする請求項１〜３のいずれかに記載の香水ディフューザーキット。
【請求項５】
前記ディフューザー本体の側面部には一本の水平軸が通るように一対の軸穴が設けられ、
前記補助ブラケットには、中央空間を形成するように二股に分かれた一対の腕部が設けられ、
前記腕部の先端には前記軸穴に嵌入されかつ前記水平軸を基点にして前記ディフューザー本体を回転可能とする枢軸部が形成され、
前記ディフューザー本体を回転する際には、前記ディフューザー本体の前記上部が前記中空空間に通過し、前記ディフューザー本体の前記上部と前記下部とが一時的に逆さまの状態に保持できるようにしたことを特徴とする請求項４に記載の香水ディフューザーキット。
【考案の詳細な説明】
【技術分野】
【０００１】
本考案は、市販の香水瓶を収納可能なディフューザーキットであり、より具体的には、市販の香水瓶の本体をも利用して香水を保持しつつ、香水瓶を室内や自動車内の適当な場所に配置することを可能にするものである。
【背景技術】
【０００２】
近年、香りや匂いに関する関心が高まっており、身体や服飾品に拭きかけることや室内空気に彩を添えることを目的とした香水が数多く販売されている。香水は、通常、ガラス製の容器（つまり、香水瓶）に収容された状態で提供される。提供される香水がブランド品であればあるほど、その香水瓶は独特の形状・デザインのものが採用される傾向にある。
【０００３】
しかしながら、室内芳香用の香水の分野では、同一の寸法・形状の香水瓶に収容されるものの、顧客の趣向に応じて様々な種類（芳香、フレーバー）が提供される商取引が多く見受けられるようになってきている。つまり、同一形状の香水瓶に、中身の香水とそれを示すラベルが異なるものが商品棚に多数陳列されるようになっている。
【０００４】
店先等で購入した香水を自宅等の室内で使用する際には、香水を拡散させるために、通常、大型の専用ディフューザーやオイルポッドを用意する必要がある。また、このような従来製品は、芳香が出なくなった際に香水の補充（例えば、スポンジ等への浸み込ませ）や掃除に手間が掛かるものが多い。
【０００５】
また、自動車等の車内で使用するには、香水瓶等を配置しておくための専用の受け皿をダッシュボードの平坦な部分に接着テープや接着剤で固定しておく必要がある。しかしながら、ダッシュボードの形状によっては専用の受け皿を追加的に取り付けるには適していない場合もある。たとえ受け皿が取り付けられたとしても、車内空気が循環しやすい場所に香水瓶を配置できるとは限らず、流れがよどんだ場所に配置された場合には香水から発せられる芳香が効率よく循環されない（つまり、折角の芳香が車内空間に行き渡らない）事態にもなりかねない。
【０００６】
次に、香水容器（特に、自動車の車内にも持ち込められるような携帯式の香水容器）に関する先行技術文献について、下記の特許文献１〜３等を示しながら説明する。
【０００７】
特許文献１には、円筒形容器内に香水を浸み込ませるためのスポンジが収容され、該容器の上部表面の一方の半部には多数の小穴が形成され、他方の半部には半月状の蓋が該容器の中心軸を基点に回転可能とした携帯用香料容器が開示されている。
【０００８】
また、特許文献２には、ペンダントタイプの携帯式香水収納容器が開示されている。より具体的には、上部が開口した本体にスポンジ等の香水吸収体を収容し、ピンホールが設けられた蓋を本体の上部開口と螺合するように構成したものである。
【０００９】
また、特許文献３は、貫通口が設けられた雌筒状体と雄筒状体とが互いに分離可能に篏合可能に構成された携帯用芳香剤収納容器を開示したものである。
【００１０】
しかしながら、上述の特許文献１，２に開示の容器では、香水をスポンジ等の吸収体に所定量のみ浸み込ませた状態で容器内保管されるため、携帯容器から芳香が出なくなった際には、ユーザーは、吸収体を携帯容器から取り出し、購入した市販香水瓶に残っている香水を該吸収体に浸み込ませ、吸収体を再度、携帯容器内に再度収容するといった一連の作業が要求されることになる。この一連の作業は、携帯容器の配置場所（例えば、自動車の車内）と、香水瓶が保管されている場所（例えば、自宅）とが離れているときは、さらに面倒で手間の掛かる作業となってしまう。
【００１１】
また、特許文献１，２に開示の容器は携帯用の鎖が備え付けられているだけであるため、例えば、自動車の車内にこれらの容器を保管して使用する場合には、体に身に着けるか、シフトレバーやルームミラーに引っ掛けておくしかできない。従って、これらの香水容器が車内空調の気流の循環に適した場所に配置できているとは言いがたい。
【００１２】
特許文献３に開示の容器でも、香水を追加注入する場合は、都度、別途用意したスポイト等を使用して香水液を筒状体の貫通口等を介して容器内に注入する必要があり、特許文献１，２の場合と同様、継続的な使用に当たり、非常に面倒な作業を要する。また、特許文献３に開示の容器でも、自動車の車内空調の気流循環に適した場所に配置するといった工夫や技術的思想はおろか、そのような発想すら開示されてはいない。
【先行技術文献】
【特許文献】
【００１３】
【特許文献１】特開平０８−０００３５０号公報
【特許文献２】実開平０６−０３８６２８号公報
【特許文献３】特開２００２−３１５６２４号公報
【考案の概要】
【考案が解決しようとする課題】
【００１４】
本考案は、従来の実情に鑑みて提案されたものであり、操作（特に、香水吸収体への香水の浸漬操作）が簡単で使い勝手も良く、かつ、コンパクトな香水ディフューザーキットを提供することを目的とする。
【００１５】
また、本考案のもう一つの目的は、例えば自動車等の室内で室内空調の気流循環に適した場所に簡単に取り付けることできる香水ディフューザーキットを提供することである。
【課題を解決するための手段】
【００１６】
本考案者は、鋭意検討した末、市販の香水瓶をそのまま収納（利用）しつつこれを適切に保持可能としつつ、香水吸収体への香水の浸漬操作も容易に行える香水瓶収納構造に加え、自動車内の車内空調の気流循環に適した場所に取り付け可能とする取付け構造などを見出し、本考案を完成するに至った。
【００１７】
すなわち、本考案は、例えば、次の構成・特徴を採用するものである。
（態様１）
中空筒状体を成し、かつ、上部に形成された香水拡散用孔と、下部に形成されて前記筒状体内部に香水瓶を出し入れ自在に収納可能な開口部とを備えたディフューザー本体と、
香水瓶の注ぎ口に挿入可能な芯部を備えた香水吸収体と、
を備え、かつ、
前記ディフューザー本体には、香水瓶を着脱自在に保持可能な取付け構造がさらに設けられていることを特徴とする香水ディフューザーキット。
（態様２）
前記取付け構造は、前記中空筒状体の内部に設けられ、かつ、前記香水瓶に設けられた螺旋構造と螺合可能な螺旋構造であることを特徴とする態様１に記載の香水ディフューザーキット。
（態様３）
前記ディフューザー本体の側面部には、前記香水瓶が前記中空筒状体の内部に挿入された際に、前記取付け構造への前記香水瓶本体の着脱を容易にするための操作用開口部がさらに設けられていることを特徴とする態様１又は２に記載の香水ディフューザーキット。
（態様４）
前記ディフューザー本体を保持可能な補助ブラケットをさらに備え、かつ、
前記補助ブラケットには、空調用ルーバー間に差し込み可能でかつ該ルーバーを挟持可能な挟持部が形成されることを特徴とする態様１〜３のいずれかに記載の香水ディフューザーキット。
（態様５）
前記ディフューザー本体の側面部には一本の水平軸が通るように一対の軸穴が設けられ、
前記補助ブラケットには、中央空間を形成するように二股に分かれた一対の腕部が設けられ、
前記腕部の先端には前記軸穴に嵌入されかつ前記水平軸を基点にして前記ディフューザー本体を回転可能とする枢軸部が形成され、
前記ディフューザー本体を回転する際には、前記ディフューザー本体の前記上部が前記中空空間に通過し、前記ディフューザー本体の前記上部と前記下部とが一時的に逆さまの状態に保持できるようにしたことを特徴とする態様４に記載の香水ディフューザーキット。
【考案の効果】
【００１８】
本考案によれば、市販の香水瓶本体をそのまま収納でき、この香水瓶本体の注ぎ口には香水吸収体が絶えず挿入されて閉ざされた状態であるため、香水を急激に蒸発させることが無いまま、これを本考案のディフューザー本体に保管することができる。
【００１９】
さらに、香水吸収体から芳香が出なくなった場合には、ディフューザー本体（つまり、これに固定された香水瓶）を傾けるだけで、香水吸収体に香水を補充する（浸み込ませる）ことができるため、従来品では困難だった香水の補充操作が極めて簡単・容易となる。
【００２０】
また、この補充操作で汚れることもないことから、掃除やメンテナンスも簡単となる。例えば、あるフレーバーの香水を利用していた場合でも香水が付着するのは香水瓶の注ぎ口に保持された香水吸収体のみであって、ディフューザー本体に香水の原液自体が付着する頻度が先行技術等の従来品に比べて極めて低くなる。このため、その後、別のフレーバーの香水瓶を前記本体に取り付けたとしても、前回使用していたフレーバーの匂いが残りにくくなる。仮に残っていたとしても、その匂いを除去するための洗浄は従来品の場合に比べて容易になるものと予想される。
【００２１】
また、本考案の好適な態様の香水ディフューザーキットによれば、上述のように、ルーバー（例えば、車内の空調器通風口に設けられたルーバー）に取り付け可能な補助ブラケットを備えているために、車内の気流循環に適した場所である通風口の前面に本考案のディフューザーキットを確実に取り付け・固定することができ、迅速にかつ効率よく芳香を気流にのせて車内空間の隅々まで行き渡らせることができるようになる。
【図面の簡単な説明】
【００２２】
【図１】本考案の実施例に係る香水ディフューザーキットを示した分解斜視図である。
【図２】組み付けた状態の香水ディフューザーキットを示した斜視図である。
【図３】補助ブラケットを上方に持ち上げた状態の香水ディフューザーキットを示した正面図である。
【図４】香水ディフューザーキットを示した側面図である。
【図５】香水ディフューザーキットの使用状態を示した参考図である。
【考案を実施するための形態】
【００２３】
以下、本考案を図面に示す実施例に基づき説明するが、本考案は、下記の具体的な実施例に何等限定されるものではない。なお、各図において同一又は対応する要素には同一符号を用いる。
【実施例】
【００２４】
図１は、本考案の実施例に係る香水ディフューザーキット１（以下、略してキットとも呼ぶ。）の構成部品を示した分解斜視図である。一方、図２は、これらの構成部品を組み付けた状態のキット１を示した斜視図である。さらに、図３は、後述する構成部品の一つである補助ブラケット５を上方に持ち上げた状態のキット１の正面図を示す。図４の（ａ）及び（ｂ）の各図はキット１の側面図であるが、図４（ａ）は、後述する車内空調設備の通風口６などにキット１が取り付けられた際のキット１の通常の姿勢（取付け・保管状態）を示すのに対し、図４（ｂ）は、キット１内部の香水吸収体３への香水の補充のためにキット１を傾けた状態を示す。図５は、実施例のキット１を自動車の車内で使用した状態を示した図である。
【００２５】
本考案の香水ディフューザーキット１は、少なくとも、ディフューザー本体（以下、略して本体とも呼ぶ。）２と、香水吸収体３と、を備える。なお、本体２（及び後述する補助ブラケット５）は、例えば、量産に適するように樹脂材料で成形される。また、香水吸収体３は、スポンジ材料のように給水性の高い材料から作られていることが好ましい。
【００２６】
ここで、本体２は中空筒状体を成す。なお、図示の本体２の外形は円筒形の中空筒状体であるが、本体２の内部に後述する香水瓶４を取り付け・保持することが出来れば、この形状に限定されず、例えば、四角形や六角形などの多角形の筒状体であってもよい。
【００２７】
また、本体２は、上部２ｔに形成された香水拡散用孔２１と、下部２ｂに形成されて筒状体内部２２に香水瓶４を出し入れ自在に収納可能な開口部２３と、を備える。なお、図示の香水拡散用孔２１は、芳香の拡散効果を高めることを狙って、本体２の上面と側面部上方とに形成された多数の小孔としているが、必ずしもこの形態に限定されず、例えば、本体２の上面に開口部（図示せず）を一つだけ設けるようにしても良い。また、香水瓶４は、香水が充填された市販の香水瓶を使用することを前提とする。そして、本考案のキット１を使用するに際しては、香水瓶の蓋部４３は取外して、容器部分である香水瓶本体４（以下、単に香水瓶とも呼ぶ。）と中身の香水（液体、図示せず）とを利用する。
【００２８】
香水吸収体３には、香水瓶４の注ぎ口４１に挿入可能な芯部３１が設けられている。これにより、香水瓶４の注ぎ口４１は、香水吸収体３によって適度に閉ざされた状態となるため、香水を急激に蒸発させることが無いまま、本体２の筒状体内部２２に保管することができる。
【００２９】
本体２には、香水瓶４を着脱自在に保持可能な取付け構造２４がさらに設けられていることを特徴とする。ここで、取付け構造２４の一例として、図１に示すように、中空筒状体内部２２に設けられ、かつ、香水瓶４に設けられた螺旋構造４２と螺合可能な螺旋構造２４であることが好ましい。これにより、前述の蓋部４３の取付けの為に香水瓶４に当初より配設されていた螺旋構造４２を利用して、香水瓶４を本体２の内部２２に挿入した状態で取り付け・保持することができるようになる。まお、着脱自在な取付構造２４としては、上記好適な実施例に限定されず、例えば、図示しないが、互いの一部が係り合って固定するフック式、香水瓶４の一部を本体２の一部で留めるストッパー式、磁力等を用いて香水瓶４を本体２に引き付け保持する方式等も考えられる。
【００３０】
また、本体２の側面部には、香水瓶４が中空筒状体内部２２に挿入された際に、取付け構造（例えば、螺旋構造）２４への香水瓶４の着脱を容易にするための操作用開口部２５がさらに設けられていることが好ましい。図示では、２つの操作用開口部２５が対向するように本体２の側面部に形成されている（より具体的には、側面部を貫通している）。これにより、香水瓶４の螺旋構造４２を本体２の螺旋構造２４に螺合させる際に、内部２２に挿入された香水瓶４の胴部周囲が操作用開口部２５を通して本体２の外側から手指でアクセスできるようになり、香水瓶４の回転（つまり、螺合）操作を容易に行えるようになる。
【００３１】
また、本考案のキット１には、本体２を保持可能な補助ブラケット５をさらに設けるようにしても良い。この補助ブラケット５には、図５に示すように、例えば、車内の空調器通風口６に設けられたルーバー６１，６１間に差し込み可能でかつ該ルーバー６１を挟持可能な挟持部５１が形成されることが好ましい。これにより、車内の気流循環に適した場所である通風口６の前面に本考案の香水ディフューザーキット１を配置することができ、迅速にかつ効率よく需要者の気に入った芳香を気流にのせて車内空間の隅々まで行き渡らせることができるようになる。
【００３２】
図示の挟持部５１は、ルーバー６１を収納可能な隙間５１ａを有した一対の弾性樹脂部材５１，５１で構成されており、ルーバー６１を隙間５１ａに差し込んでいくと、一対の弾性部材５１，５１は外側に移動・変形してルーバー６１を受け入れる。さらに、図示の一対の挟持部５１は、互いに隙間５１ａの空間を狭めるよう突出した凸部５１ｂ，５１ｂが夫々設けられているため、凸部５１ｂがルーバー６１をしっかりとグリップするようになる。従って、補助ブラケット５（つまり本キット１）が通風口６にて確実に取り付けられ、運転中にぐらつくようなこともない。
【００３３】
なお、補助ブラケット５を取り付けた場合、キット１は、香水やこの香水を含んだ香水瓶４の重力により、香水瓶４が下方に配置される姿勢を通常とるようになる（図４（ａ）参照）。従って、香水瓶４の注ぎ口４１に差し込まれた香水吸収体３の芯部３１に香水を補充する（浸み込ませる）には、香水瓶４が収容される本体２の下部２ｂが一時的に上方にくるように本体２を傾ける必要があるが、本体２を移動させる際に本体２の一部が補助ブラケット５にぶつかってしまい、上記傾斜姿勢をとることできない危険性がある。
【００３４】
従って、補助ブラケット５を本体２に取り付けるにあたって、本体２や補助ブラケット５に以下に詳述する構造を採用することが好ましい。
【００３５】
本体２の側面部には、図１及び図４の各図に示すように、一本の水平軸Ｘが通るように一対の軸穴２６，２６が設けられる。一方、補助ブラケット５には、図１に示すが如く、中央空間５２を形成するように二股に分かれた一対の腕部５３，５３が設けられる。さらに、腕部５３，５３の先端には、本体２側の軸穴２６，２６に嵌入されかつ水平軸Ｘを基点にして本体２を回転可能とする枢軸部５４，５４が形成される。
【００３６】
以上のような構成を採用することにより、本体２を、水平軸Ｘ（つまり枢軸部５４，５４）を基点に回転する際には、図３並びに図４（ａ）及び（ｂ）に示すように、本体２の上部２ｔが、補助ブラケット５にぶつかること無く、その中空空間５２に通過し、上部２ｔと下部２ｂとが一時的に逆さまの状態となるように本体２を保持できるようになる。つまり、補助ブラケット５でもって車内通風口６の前面に本考案のキット１を取り付けたままの状態でも、本体２を補助ブラケット５に対して容易に回転させる（傾ける）ことができるために、簡単に、香水瓶４内の香水を香水吸収体３に浸み込ませることができるようになる。
【産業上の利用可能性】
【００３７】
本考案によれば、従来の同種の製品に比較して、より操作性や芳香拡散性に優れた香水ディフューザーキットを提供することができる。さらに、掃除やメンテナンスの面でおいても従来製品に比べ優れている。このように、本考案は、産業上の利用価値及び産業上の利用可能性が非常に高い。
【符号の説明】
【００３８】
１    香水ディフューザーキット
２    ディフューザー本体
２ｂ    ディフューザー本体の下部
２ｔ    ディフューザー本体の上部
３    香水吸収体
４    香水瓶（香水瓶本体）
５    補助ブラケット
６    空調器通風口
２１    香水拡散用孔
２２    中空筒状体（ディフューザー本体）内部
２３    開口部
２４    取り付け構造
２５    操作用開口部
２６    軸穴
３１    香水吸収体の芯部
４１    香水瓶本体の注ぎ口
４２    香水瓶本体に設けられた螺旋構造
５１    補助ブラケットの挟持部
５１ａ    隙間
５１ｂ    凸部
５２    補助ブラケットの中央空間
５３    補助ブラケットの腕部
５４    枢軸部
６１    空調用ルーバー
Ｘ    水平軸
【図１】
0003201057.tif 000003
【図２】
0003201057.tif 000004
【図３】
0003201057.tif 000005
【図４】
0003201057.tif 000006
【図５】
0003201057.tif 000007